(57)【要約】【課題】断熱パネルを既存の壁体の壁面に沿わせるように設置する際におけるプラグ受けの施工性を向上し得る断熱パネルの設置構造を提供する。【解決手段】既存の壁体の壁面２に沿わせるように複数の縦桟１０を設け、これら複数の縦桟の前面側に隣り合う側端部２１，２１を位置させるように複数枚の断熱パネル２０を配設した断熱パネルの設置構造１であって、前記縦桟は、差込接続器１５のプラグ受け本体１６を収容させる空洞部１１を設け、該空洞部に収容された前記プラグ受け本体のプラグ受け部１７に応じた開口１２を前面側に設けた構造とされ、少なくとも前記空洞部に前記プラグ受け本体を収容させた前記縦桟の前面側に固定された隣り合う断熱パネル同士の側端部間に、前記空洞部に収容された前記プラグ受け本体のプラグ受け部に差込プラグ２４の抜き差しを可能とする隙間Ｓを設けている。【選択図】図１
2013256805.tif 000002
【特許請求の範囲】
【請求項１】
既存の壁体の壁面に沿わせるように複数の縦桟を設け、これら複数の縦桟の前面側に隣り合う側端部を位置させるように複数枚の断熱パネルを配設した断熱パネルの設置構造であって、
前記縦桟は、差込接続器のプラグ受け本体を収容させる空洞部を設け、該空洞部に収容された前記プラグ受け本体のプラグ受け部に応じた開口を前面側に設けた構造とされ、
少なくとも前記空洞部に前記プラグ受け本体を収容させた前記縦桟の前面側に固定された隣り合う断熱パネル同士の側端部間に、前記空洞部に収容された前記プラグ受け本体のプラグ受け部に差込プラグの抜き差しを可能とする隙間を設けたことを特徴とする断熱パネルの設置構造。
【請求項２】
請求項１において、
前記縦桟は、前記空洞部を長手方向に沿って設けた中空筒状とされ、その一側面に、長手方向に沿って長尺で該空洞部に連通する電源線挿通スリットを設け、かつ、この電源線挿通スリットに応じて前記開口を長手方向に沿って間隔を空けて複数設けた構造とされていることを特徴とする断熱パネルの設置構造。
【請求項３】
請求項１または２において、
前記縦桟の空洞部に収容させた前記プラグ受け本体に、前面側にプラグ受け部を設けた隙間調整用の差込接続器をその前面が前記断熱パネルの前面と略面一となるように接続し、
該隙間調整用の差込接続器の上下の前記隙間に、それぞれの前面が前記断熱パネルの前面と略面一となるように目地部材を設けたことを特徴とする断熱パネルの設置構造。
【発明の詳細な説明】
【技術分野】
【０００１】
本発明は、既存の壁体の壁面に沿わせるように断熱パネルを配設する断熱パネルの設置構造に関する。
【背景技術】
【０００２】
従来より、住居等の建物の断熱性を向上させる方法としては、建物の屋外空間と屋内空間とを区画する壁体の外側に断熱部材を施工する外張断熱工法や、上記壁体の内部に断熱材を施工する充填断熱工法が知られているが、これらの断熱工法には大掛かりな工事が必要であった。
そこで、近時においては、断熱性を向上させるために、既存の壁体の壁面に沿わせるように断熱パネルを配設することが行われている（例えば、下記特許文献１参照）。
【先行技術文献】
【特許文献】
【０００３】
【特許文献１】特開２０１０−１３８４０号公報
【発明の概要】
【発明が解決しようとする課題】
【０００４】
しかしながら、上記特許文献１のような構造では、壁体の壁面に既設されているプラグ受け（いわゆるコンセント）が断熱パネルによって覆われる。そのため、プラグ受けの移設のために、断熱パネルに取付孔等を設ける必要があり、施工性等の観点から更なる改善が望まれていた。
【０００５】
本発明は、上記実情に鑑みてなされたものであり、断熱パネルを既存の壁体の壁面に沿わせるように設置する際におけるプラグ受けの施工性を向上し得る断熱パネルの設置構造を提供することを目的とする。
【課題を解決するための手段】
【０００６】
上記目的を達成するために、本発明に係る断熱パネルの設置構造は、既存の壁体の壁面に沿わせるように複数の縦桟を設け、これら複数の縦桟の前面側に隣り合う側端部を位置させるように複数枚の断熱パネルを配設した断熱パネルの設置構造であって、前記縦桟は、差込接続器のプラグ受け本体を収容させる空洞部を設け、該空洞部に収容された前記プラグ受け本体のプラグ受け部に応じた開口を前面側に設けた構造とされ、少なくとも前記空洞部に前記プラグ受け本体を収容させた前記縦桟の前面側に固定された隣り合う断熱パネル同士の側端部間に、前記空洞部に収容された前記プラグ受け本体のプラグ受け部に差込プラグの抜き差しを可能とする隙間を設けたことを特徴とする。
【０００７】
本発明においては、前記縦桟は、前記空洞部を長手方向に沿って設けた中空筒状とされ、その一側面に、長手方向に沿って長尺で該空洞部に連通する電源線挿通スリットを設け、かつ、この電源線挿通スリットに応じて前記開口を長手方向に沿って間隔を空けて複数設けた構造とされていてもよい。
また、本発明においては、前記縦桟の空洞部に収容させた前記プラグ受け本体に、前面側にプラグ受け部を設けた隙間調整用の差込接続器をその前面が前記断熱パネルの前面と略面一となるように接続し、該隙間調整用の差込接続器の上下の前記隙間に、それぞれの前面が前記断熱パネルの前面と略面一となるように目地部材を設けてもよい。
【発明の効果】
【０００８】
本発明に係る断熱パネルの設置構造によれば、断熱パネルを既存の壁体の壁面に沿わせるように設置する際におけるプラグ受けの施工性を向上させることができる。
【図面の簡単な説明】
【０００９】
【図１】本発明の一実施形態に係る断熱パネルの設置構造の一例を模式的に示す一部破断概略分解斜視図である。
【図２】（ａ）、（ｂ）は、いずれも同断熱パネルの設置構造を模式的に示し、（ａ）は、図３（ａ）のＸ１−Ｘ１線矢視に対応させた一部破断概略横断面図、（ｂ）は、図３（ｂ）のＸ２−Ｘ２線矢視に対応させた一部破断概略横断面図である。
【図３】（ａ）、（ｂ）は、いずれも同断熱パネルの設置構造を模式的に示す一部破断概略正面図である。
【発明を実施するための形態】
【００１０】
以下に本発明の実施の形態について、図面に基づいて説明する。
以下の実施形態では、既存の壁体の壁面に沿わせるように配設された断熱パネルに対面した状態を基準として、手前側を前方側、奥側を後方側として、その方向等を原則的に説明する。
【００１１】
図１〜図３は、本実施形態に係る断熱パネルの設置構造の一例を模式的に示す図である  。
本実施形態に係る断熱パネルの設置構造１は、既存の壁体の壁面２に沿わせるように複数の縦桟１０を設け、これら複数の縦桟１０の前面側に隣り合う側端部２１，２１を位置させるように複数枚の断熱パネル２０を配設した構造とされている。
なお、各図では、断熱パネルの設置構造１の要部のみを模式的に示している。図示は省略しているが、縦桟１０は、既存の壁体の壁面２に沿わせるように壁面２の幅方向（左右方向）に略等間隔を空けて複数本設けられており、それぞれの縦桟１０の前面側に、隣り合う側端部２１，２１を位置させるように、複数枚の断熱パネル２０が配設されている。
既存の壁体としては、一般的な鉄骨造や、木造軸組構造、木造枠組壁構造等からなる壁体としてもよい。また、このような既存の壁体としては、その内部に、幅方向（左右方向）に所定の間隔（ピッチ）を隔てて壁下地としての間柱（スタッド）等を設け、これら間柱の屋内側（前面側）に、壁面２を構成する石膏ボード等の壁面材を設けた構造としてもよい。
【００１２】
断熱パネル２０は、略矩形平板状とされており、複数枚を横並びに隣接させて、既存の壁体の壁面２を略覆うように、壁面２の略全域に亘って壁面２に沿わせるように配設されている。また、これら複数枚の断熱パネル２０は、互いに略同幅寸法とされている。なお、壁体の壁面２の幅寸法に応じて、例えば、複数枚の断熱パネル２０のうちの一枚の幅寸法を他の断熱パネル２０の幅寸法と異ならせたものとしてもよい。
また、これら断熱パネル２０は、その上端面を天井に当接または近接させるように、また、その下端面を床に当接または近接させるように、既存の壁体の壁面２に沿わせるように配設してもよい。
【００１３】
また、断熱パネル２０は、例えば、表裏の面材と、これらの各対向面の四周端部に沿うように設けられた枠材と、これら四周枠材内に充填、収容された断熱材と、を備えた構造とされたものとしてもよい。
なお、断熱パネル２０の表裏の面材や枠材としては、木質系材料や、石膏ボード等の無機質系材料等から形成されたものとしてもよい。
また、断熱パネル２０の断熱材としては、各種フォーム系（発泡系）断熱材や繊維系断熱材等を採用してもよく、または、例えば、グラスファイバー等の繊維で芯材を形成し、その芯材を金属フィルム等の包装材で外装して真空吸引することにより形成された真空断熱材を採用してもよい。
【００１４】
縦桟１０は、図１に示すように、外郭形状が略四角柱棒状とされている。
縦桟１０は、その上端面を天井に当接または近接させるように配設するようにしてもよく、また、その下端面を床に当接または近接させるように配設するようにしてもよい。また、縦桟１０は、その後側壁部を壁面２に当接させて、壁面２に固定される構造とされている。なお、縦桟１０は、既存の壁体の壁面２に対して、ねじや釘等の固定止具や、接着剤等を用いて固定するようにしてもよい。
【００１５】
また、本実施形態では、縦桟１０の前面側に、前方に向けて開口するように凹み部１４を設けた例を示している。また、本実施形態では、凹み部１４を、縦桟１０の長手方向の全長に亘って、縦桟１０の前側壁部の幅方向略中央に設けている。
図例では、前方開口で平面視略コ字状（略Ｕ字状または略Ｃ字状）とされ、底壁部及び両側壁部によって区画された凹み部１４を示している。このような凹み部１４を設けることで、凹み部１４を設けない場合と比べて、凹み部１４がリブとして機能し、縦桟１０の強度を向上させることができる。
【００１６】
また、縦桟１０は、差込接続器１５のプラグ受け本体１６を収容させる空洞部１１を設けた構造とされている。
本実施形態では、縦桟１０を、空洞部１１を長手方向の略全長に亘って設けた中空筒状とし、図例では、略四角筒状としている。
差込接続器１５は、図１に示すように、プラグ受け本体１６と、その一側面から延びるように設けられた電源線（電力線、コード）１８と、を備えている。また、プラグ受け本体１６の前面側に、プラグ受け部１７を設けている。本実施形態では、プラグ受け本体１６の前面側に、複数のプラグ受け部１７（図例では３つ）を設けている。
また、本実施形態では、プラグ受け本体１６を、比較的に長尺な略直方体形状とし、これらプラグ受け部１７，１７，１７のそれぞれを、プラグ受け本体１６の前面側にプラグ受け本体１６の長手方向に沿って略等間隔を空けて設けた例を示している。なお、差込接続器１５の詳細については、後述する。
【００１７】
また、縦桟１０は、空洞部１１に収容されたプラグ受け本体１６のプラグ受け部１７に応じた開口１２を前面側に設けた構造とされている。この開口１２は、縦桟１０の前側壁部（図例では、凹み部１４の底壁部）に設けられており、該前側壁部を前後方向に貫通して設けられている。
本実施形態では、開口１２を、プラグ受け本体１６に設けられたプラグ受け部１７，１７，１７の間隔（ピッチ）に応じて、縦桟１０の長手方向に沿って略等間隔を空けて設けた例を示している。なお、これら各開口１２の幅寸法及び上下寸法は、縦桟１０の空洞部１１に収容されたプラグ受け本体１６のプラグ受け部１７に、後記する差込プラグ２４の抜き差しが可能となるように、適宜、設定するようにしてもよい。また、これら各開口１２は、縦桟１０の空洞部１１に収容されたプラグ受け本体１６のプラグ受け部１７のそれぞれが対応する開口１２から露見するように設けられている。
【００１８】
また、本実施形態では、縦桟１０の一側面に、縦桟１０の長手方向に沿って長尺で空洞部１１に連通する電源線挿通スリット１３を設けている。図例では、縦桟１０の右側壁部の当該縦桟１０の厚さ方向（前後方向）略中央に、縦桟１０の長手方向の略全長に亘って電源線挿通スリット１３を設けた例を示している。
また、本実施形態では、縦桟１０は、この電源線挿通スリット１３に応じて開口１２を長手方向に沿って略等間隔を空けて複数設けた構造とされている。つまり、開口１２を、縦桟１０の長手方向の概ね全長に亘って上記した略等間隔を空けて設けている。
【００１９】
また、本実施形態では、縦桟１０の空洞部１１に、後記するプラグ受け本体１６に設けられた被係合部１６ａと互いに係合し、空洞部１１内に収容されたプラグ受け本体１６の幅方向（左右方向）への移動を規制する係合部１０ａを設けている。図例では、この係合部１０ａを、縦桟１０の後側壁部の前面（空洞部１１の奥側内壁面）に、前方側に突出し、長手方向に沿って延びるように設けられた突条部１０ａとしている。図例では、縦桟１０の後側壁部の前面に、縦桟１０の幅方向に間隔を空けて二本の突条部１０ａ，１０ａを設けた例を示している。
【００２０】
また、本実施形態では、縦桟１０に、縦桟１０の空洞部１１に収容されたプラグ受け本体１６を縦桟１０へ固定するための固定部１０ｂを設けている。本実施形態では、固定部を、前側壁部（図例では、凹み部１４の底壁部）の厚さ方向に貫通する止具孔１０ｂとした例を示している。また、本実施形態では、止具孔１０ｂを、縦桟１０の長手方向に沿って略等間隔を空けて複数箇所に設けており、それぞれの止具孔１０ｂを、上下に隣り合う開口１２，１２の略中間部に設けている。なお、これら止具孔１０ｂは、ねじや釘等の固定止具が捩じ込まれる（打ち込まれる）挿通孔としてもよく、雌ねじ孔としてもよい。
また、縦桟１０は、金属系材料や合成樹脂系材料等から形成されたものとしてもよい。
【００２１】
差込接続器１５のプラグ受け本体１６は、縦桟１０の空洞部１１に嵌め込まれるように収容される形状とされている。図例では、プラグ受け本体１６の厚さ方向（前後方向）の寸法を、空洞部１１の前後方向の寸法（縦桟１０の後側壁部の前面と凹み部１４の底壁部の後面との間の間隔）に応じた寸法としている。また、図例では、プラグ受け本体１６の幅方向（左右方向）の寸法を、空洞部１１の幅方向の寸法（縦桟１０の両側壁部の間の間隔）に応じた寸法としている。
このような構成とすることで、縦桟１０の空洞部１１に収容されたプラグ受け本体１６のガタつきを抑制することができる。
【００２２】
また、プラグ受け本体１６は、その背面（縦桟１０の後側壁部に対面する面）側に、上記した縦桟１０の後側壁部に設けられた係合部（突条部）１０ａに係合する被係合部１６ａを設けている。図例では、被係合部１６ａを後方側に開口し、プラグ受け本体１６の長手方向の全長に亘って設けられた凹溝１６ａとしている。図例では、プラグ受け本体１６の背面側に、縦桟１０の二本の突条部１０ａ，１０ａに対応させて、二本の凹溝１６ａ，１６ａを設けた例を示している。
このように、プラグ受け本体１６及び縦桟１０に、互いに係合する被係合部（凹溝）１６ａ及び係合部（突条部）１０ａをそれぞれに設けているので、プラグ受け本体１６を縦桟１０の空洞部１１に収容させ易くなる。また、これにより、縦桟１０の空洞部１１に収容させたプラグ受け本体１６の縦桟１０の幅方向への位置ずれ等を抑制することができる。
【００２３】
プラグ受け部１７は、それぞれに一対の差込孔を設けた構造とされている。本実施形態では、プラグ受け本体１６の長手方向に間隔を空けてこれら一対の差込孔を配したプラグ受け部１７を示している。このように、プラグ受け本体１６の長手方向に間隔を空けて一対の差込孔を配したプラグ受け部１７とすることで、例えば、プラグ受け本体１６の幅方向に間隔を空けて一対の差込孔を配したプラグ受け部１７とした場合と比べて、縦桟１０の開口１２の幅寸法（左右寸法）を小さくすることができる。また、後記する断熱パネル２０，２０の側端部２１，２１間の隙間Ｓの幅寸法を小さくすることができる。
なお、プラグ受け本体１６の幅方向に間隔を空けて一対の差込孔を配したプラグ受け部１７としてもよい。
【００２４】
また、本実施形態では、プラグ受け本体１６に、縦桟１０に設けられた固定部（止具孔）１０ｂに固定される被固定部１６ｂを設けている。本実施形態では、被固定部１６ｂを、プラグ受け本体１６の前面側の長手方向に沿って略等間隔を空けて複数箇所に設けており、それぞれの被固定部１６ｂを、上下に隣り合うプラグ受け部１７，１７の略中間部に設けている。また、図例では、この被固定部１６ｂを、プラグ受け本体１６の前面側に設けられた雌ねじ部１６ｂとしている。
このように縦桟１０に止具孔１０ｂを設け、プラグ受け本体１６の前面側に雌ねじ部１６ｂを設けているので、縦桟１０の空洞部１１の上下の所望の位置にプラグ受け本体１６を位置付けて容易に固定することができる。
【００２５】
また、この差込接続器１５のプラグ受け本体１６を、後記するように断熱パネル２０を縦桟１０の前面側に配設する前に、複数の縦桟１０のうちの所望の縦桟１０の空洞部１１内に収容させるようにしてもよい。
また、この差込接続器１５の電源線１８は、図２（ｂ）に示すように、その先端部が既存の壁体に設けられた電力線３等に電気的に接続されている。なお、この電源線１８は、差込接続器１５に予め設けられているものとしてもよく、施工現場等において、適宜、プラグ受け本体１６に電気的に接続されるものとしてもよい。
【００２６】
また、本実施形態では、図２（ａ）に示すように、断熱パネルの設置構造１は、少なくとも空洞部１１にプラグ受け本体１６を収容させた縦桟１０の前面側に固定された隣り合う断熱パネル２０，２０同士の側端部２１，２１間に、空洞部１１に収容されたプラグ受け本体１６のプラグ受け部１７に、差込プラグ２４の抜き差しを可能とする隙間Ｓを設けた構造とされている。
本実施形態では、この差込プラグ２４を、後記する隙間調整用の差込接続器２２の差込プラグ２４としている。
また、本実施形態では、隣り合う断熱パネル２０，２０同士の側端部２１，２１の端面を、縦桟１０の凹み部１４の両側壁部と略同一平面状となるように、断熱パネル２０，２０を縦桟１０の前面側に配設した例を示している。
本実施形態では、隙間Ｓは、縦桟１０の長手方向の略全長に亘って設けられている。
隙間Ｓの幅寸法は、空洞部１１に収容されたプラグ受け本体１６のプラグ受け部１７に差込プラグ２４の抜き差しが可能な寸法であればよく、縦桟１０の開口１２の幅寸法に応じた寸法としてもよい。この隙間Ｓを介して、縦桟１０の空洞部１１に収容されたプラグ受け本体１６のプラグ受け部１７のそれぞれが断熱パネル２０の前面２０ａ側から露見する構造とされている。
【００２７】
これら断熱パネル２０は、その両側端部２１，２１の裏面を縦桟１０の前面に当接させ、釘やねじ等の固定止具によって、縦桟１０に対して固定するようにしてもよい。また、固定止具に加えて、これら断熱パネル２０を、接着剤等によって左右の縦桟１０，１０に固定するようにしてもよい。
また、縦桟１０，１０の上下に、断熱パネル２０の幅方向に沿って長尺な上下の横桟を、既存の壁体の壁面２に沿うように設けるようにしてもよい。このような上下の横桟を設けた場合には、断熱パネル２０の上下端部を、これら上下の横桟に対して、釘やねじ等の固定止具によって固定するようにしてもよい。また、これら上下の横桟に、縦桟１０の上下端部を固定するようにしてもよい。さらには、これら上下の横桟や縦桟１０等に係合部を設け、断熱パネル２０に該係合部に係合する被係合部を設け、これらを互いに係合させることで、断熱パネルを固定するようにしてもよい。
【００２８】
また、本実施形態では、図１に示すように、断熱パネルの設置構造１は、縦桟１０の空洞部１１に収容させたプラグ受け本体１６に、隙間調整用の差込接続器２２を接続した構造とされている。図例では、縦桟１０の空洞部１１に収容させたプラグ受け本体１６の複数のプラグ受け部１７のうちの一つに、単一の隙間調整用の差込接続器２２を接続した構造としている。
この隙間調整用の差込接続器２２は、図１に示すように、ブロック状とされた本体の前面２２ａ側に、プラグ受け部２３を設け、その背面側に差込プラグ２４を設けた構造とされている。
また、本実施形態では、図２（ｂ）に示すように、隙間調整用の差込接続器２２を、その前面２２ａが断熱パネル２０の前面２０ａと略面一となるように、縦桟１０の空洞部１１に収容させたプラグ受け本体１６に接続した構造とされている（図３（ｂ）も参照）。
【００２９】
この隙間調整用の差込接続器２２のプラグ受け部２３には、一対の差込孔が設けられている。このプラグ受け部２３は、空洞部１１に収容させたプラグ受け本体１６のプラグ受け部１７の一対の差込孔と同様、プラグ受け本体１６の長手方向に間隔を空けて一対の差込孔を配した構造とされている。
また、この隙間調整用の差込接続器２２は、その背面側の差込プラグ２４が、縦桟１０の開口１２を介して、縦桟１０の空洞部１１に収容させたプラグ受け本体１６のプラグ受け部１７に接続されることで、空洞部１１に収容させたプラグ受け本体１６に接続される構造とされている。
また、本実施形態では、隙間調整用の差込接続器２２の幅寸法（左右寸法）を、縦桟１０の凹み部１４の両側壁部間の間隔及び隙間Ｓの幅寸法に応じた寸法としている。また、隙間調整用の差込接続器２２の本体の前後寸法を、縦桟１０の凹み部１４の底壁部から断熱パネル２０の前面２０ａまでの前後方向に沿う寸法に応じた寸法としている。
【００３０】
また、本実施形態では、図１及び図２（ｂ）に示すように、隙間調整用の差込接続器２２の上下の隙間Ｓ、Ｓに、それぞれの前面２５ａ，２５ａが断熱パネル２０の前面２０ａと略面一となるように目地部材２５，２５を設けている。
図例では、目地部材２５，２５を、左右方向略中央で二つに折り曲げられた状態で、隙間Ｓ，Ｓに嵌め入れられるものとした例を示している（図３（ｂ）も参照）。また、図例では、目地部材２５，２５を、凹み部１４にも嵌め入れており、嵌め入れられた部位の後端部（嵌め入れ方向先側端部）が凹み部１４の底壁部に当接（弾接）するように嵌め入れた例を示している。
これら目地部材２５，２５は、例えば、弾力性を有するエラストマー系材料や、軟質の発泡系材料から形成されたものとしてもよい。これにより、目地部材２５，２５を隙間Ｓ，Ｓに嵌め入れた際に、この目地部材２５，２５の復元力により、目地部材２５，２５を隣り合う断熱パネル２０，２０同士の側端部２１，２１に密着させることができる。これにより、目地部材２５，２５と隣り合う断熱パネル２０，２０同士の側端部２１，２１との間に間隙等を生じ難くさせることができる。なお、目地部材２５，２５は、断熱性を有した材料で形成されたものとしてもよい。
【００３１】
なお、目地部材２５，２５に、ねじや釘等の固定止具が挿通される止具孔を設け、この止具孔に固定止具を挿通して、目地部材２５，２５を縦桟１０に対して固定するようにしてもよい。また、この場合、上記した縦桟１０の固定部（止具孔）１０ｂを用いて、目地部材２５，２５を縦桟１０に対して固定するようにしてもよい。
このような固定止具によって固定する態様とした場合にも、上記したように、目地部材２５，２５を、弾力性を有した材料から形成されたものとし、二つに折り曲げられた状態で隙間Ｓ，Ｓに嵌め入れられるものとした場合には、固定止具を目立ち難くすることができる。つまり、目地部材２５，２５の止具孔に挿通された固定止具が折り曲げられた目地部材２５，２５によって概ね覆われて目立ち難くなり、見栄えを損なうことがない。
【００３２】
なお、目地部材２５，２５としては、このように折り曲げられて隙間Ｓ，Ｓに嵌め入れられるものに限られず、折り曲げられずに隙間Ｓ，Ｓに嵌め入れられる例えば、帯板状とされたもの等としてもよい。
また、目地部材２５，２５の固定態様としては、例えば、縦桟１０の凹み部１４の両側壁部の対向する面に係合部を設け、目地部材２５，２５に、該係合部に係合する被係合部を設け、これらを互いに係合させることで固定する態様としてもよい。
また、目地部材２５，２５は、本実施形態のような弾力性を有する材料から形成されたものに限定されることはない。
また、プラグ受け本体１６を空洞部１１に収容させた縦桟１０以外の縦桟１０の前面側に配設された隣り合う断熱パネル２０，２０同士の側端部２１，２１間に、上記同様の隙間を設けるようにしてもよい。この場合は、この隙間に、上記同様の目地部材２５を嵌め込むようにしてもよい。または、プラグ受け本体１６を空洞部１１に収容させた縦桟１０以外の縦桟１０の前面側に配設された隣り合う断熱パネル２０，２０同士の側端部２１，２１同士を当接させるようにしてもよい。
【００３３】
上記構成とされた本実施形態に係る断熱パネルの設置構造１は、縦桟１０に差込接続器１５のプラグ受け本体１６を収容させる空洞部１１を設け、その前面側に空洞部１１に収容されたプラグ受け本体１６のプラグ受け部１７に応じた開口１２を設けている。また、少なくとも空洞部１１にプラグ受本体１６を収容させた縦桟１０の前面側に固定された隣り合う断熱パネル２０，２０同士の側端部２１，２１間に、プラグ受け本体１６のプラグ受け部１７に差込プラグ２４の抜き差しを可能とする隙間Ｓを設けている。従って、縦桟１０の空洞部１１に収容された差込接続器１５のプラグ受け本体１６をプラグ受けとして利用することができ、断熱パネル２０を既存の壁体の壁面２に沿わせるように設置する際におけるプラグ受けの施工性を向上させることができる。つまり、既存の壁体に設けられたプラグ受けの移設のために、断熱パネルに取付孔を加工するような必要がなく、作業性を向上させることができる。また、例えば、真空断熱材を内蔵等した断熱パネル２０を用いる場合には、プラグ受けの移設等のために、断熱パネルに取付孔自体を設けることも困難となる。本実施形態によれば、断熱パネル２０にプラグ受けの移設等のために取付孔を設ける必要がないため、真空断熱材を内蔵等した断熱パネル２０を用いた場合にも好適な設置構造となる。
【００３４】
また、本実施形態では、縦桟１０を、空洞部１１を縦桟１０の長手方向に沿って設けた中空筒状とし、その一側面に、長手方向に沿って長尺で空洞部１１に連通する電源線挿通スリット１３を設けた構造としている。従って、プラグ受け本体１６の電源線１８を、縦桟１０の電源線挿通スリット１３に挿通して配線することができ、また、電源線挿通スリット１３の長手方向に沿って移動させることができる。これにより、例えば、縦桟１０の上端部や下端部等の開口側からプラグ受け本体１６の電源線１８を引き回すようなものと比べて、プラグ受け本体１６の電源線１８の配線自由度等を効率的に向上させることができる。また、縦桟１０の長手方向に沿って設けられた空洞部１１の長手方向（高さ）の所望の位置にプラグ受け本体１６を位置させることもできる。また、例えば、当該断熱パネルの設置構造１を施工した後に、プラグ受け本体１６の高さ位置を変更するようなことも容易に可能となる。
また、縦桟１０の前面側の開口１２を、電源線挿通スリット１３に応じて長手方向に沿って間隔を空けて複数設けているので、例えば、前面側の開口１２を電源線挿通スリット１３に応じた長尺形状とした場合と比べて、縦桟１０の強度を向上させることができる。また、このように縦桟１０の強度を向上させながらも、これら開口１２を利用して空洞部１１に収容された差込接続器１５のプラグ受け本体１６のプラグ受け部１７に差込プラグ２４を抜き差しすることができる。
【００３５】
また、本実施形態では、縦桟１０の空洞部１１に収容されたプラグ受け本体１６に、前面２２ａが断熱パネル２０の前面２０ａと略面一となるように隙間調整用の差込接続器２２を接続し、この隙間調整用の差込接続器２２の上下の隙間Ｓ，Ｓに、前面２５ａ，２５ａが断熱パネル２０の前面２０ａと略面一となるように目地部材２５，２５を設けている。従って、隣り合う断熱パネル２０，２０同士の側端部２１，２１間の隙間Ｓに、隙間調整用の差込接続器２２及びその上下の目地部材２５，２５が充填されたような構造となり、また、これら隙間調整用の差込接続器２２及びその上下の目地部材２５，２５の前面２２ａ，２５ａ，２５ａと断熱パネル２０の前面２０ａとが略面一となるので、隙間Ｓを目立ち難くすることができ、見栄えを向上させることができる。また、前面２２ａが断熱パネル２０の前面２０ａと略面一となるように、隙間調整用の差込接続器２２が縦桟１０の空洞部１１に収容されたプラグ受け本体１６に接続されるので、隙間調整用の差込接続器２２の前面２２ａが、断熱パネル２０の前面２０ａ側に露出することになる。従って、隙間調整用の差込接続器２２のプラグ受け部２３に、断熱パネル２０の前面２０ａ側から接続し易くなる。
【００３６】
なお、本実施形態では、縦桟１０を、空洞部１１を長手方向の略全長に亘って設けた中空筒状とした例を示しているが、この態様に限定されない。例えば、プラグ受け本体１６の寸法に応じた寸法の空洞部１１を、縦桟１０の途中部位等のみに設けるようにしてもよい。
また、本実施形態では、縦桟１０の一側面の略全長に亘って電源線挿通スリット１３を設けた例を示しているが、この態様に限定されず、縦桟１０の一側面の上方側部位や下方側部位、上下方向途中位置のみ等に電源線挿通スリット１３を設けるようにしてもよい。さらには、このような電源線挿通スリット１３を縦桟１０に設けない態様としてもよい。この場合は、縦桟１０の空洞部１１に収容されたプラグ受け本体１６の電源線１８を挿通させる挿通孔を、縦桟１０の一側面等に設けるようにしてもよい。
また、本実施形態では、縦桟１０の空洞部１１に収容させたプラグ受け本体１６の複数のプラグ受け部１７の間隔に応じた間隔を空けて縦桟１０の前面側に複数の開口１２を設けた例を示しているが、このような態様に限られない。例えば、プラグ受け本体１６の複数のプラグ受け部１７の全てが露見するような単一の開口１２を設けた態様としてもよい。
また、図例では、縦桟１０の前面側に凹み部１４を設けた例を示しているが、このような凹み部１４を設けないようにしてもよい。この場合、隙間調整用の差込接続器２２や目地部材２５，２５を適宜変形するようにしてもよい。
【００３７】
また、本実施形態では、縦桟１０の空洞部１１に収容させたプラグ受け本体１６の複数のプラグ受け部１７のうちの一つに、単一の隙間調整用の差込接続器２２を接続した例を示しているが、この態様に限定されない。空洞部１１に収容させたプラグ受け本体１６の複数のプラグ受け部１７のそれぞれに、隙間調整用の差込接続器２２をそれぞれ接続するようにしてもよい。空洞部１１に収容させたプラグ受け本体１６の複数のプラグ受け部１７のそれぞれに接続される複数の差込プラグ２４を背面側に設けこれら差込プラグ２４に応じた複数のプラグ受け部２３を前面側に設けた単一の隙間調整用の差込接続器２２を接続した態様としてもよい。また、本実施形態では、縦桟１０の空洞部１１に収容させたプラグ受け本体１６に、隙間調整用の差込接続器２２を接続した構造とした例を示しているが、このような態様に限られない。例えば、隙間調整用の差込接続器２２を空洞部１１に収容させたプラグ受け本体１６に接続しない態様としてもよい。この場合、一般的な電化製品や電子機器等の差込プラグを、空洞部１１に収容させたプラグ受け本体１６のプラグ受け部１７に接続可能なように、縦桟１０や隙間Ｓを適宜変形するようにしてもよい。
【符号の説明】
【００３８】
１                    断熱パネルの設置構造
１０                  縦桟
１１                  空洞部
１２                  開口
１３                  電源線挿通スリット
１５                  差込接続器
１６                  プラグ受け本体
１７                  プラグ受け部
２０                  断熱パネル
２０ａ                前面
２１                  側端部
２２                  隙間調整用の差込接続器
２２ａ                前面
２３                  プラグ受け部
２４                  差込プラグ
２５                  目地部材
２５ａ                前面
Ｓ                    隙間
２                    壁面
【図１】
2013256805.tif 000003
【図２】
2013256805.tif 000004
【図３】
2013256805.tif 000005